(57)【要約】【課題】選択された撮影テーマに応じて、撮影画像に演出効果を付与することができる発光装置及び撮像装置、並びに調光方法を提供すること。【解決手段】本発明に係る発光装置（２０）は、被写体に対して光を照射するとともに、色温度を変化させることが可能な発光部（２３）と、撮影画像に演出効果を付与するために選択された撮影テーマに応じて、発光部（２３）の色温度を変化させるように制御する発光制御部（２１）と、を備える。【選択図】図１
2013020171.tif 000002
【特許請求の範囲】
【請求項１】
被写体に対して光を照射するとともに、色温度を変化させることが可能な発光部と、
撮影画像に演出効果を付与するために選択された撮影テーマに応じて、前記発光部の色温度を変化させるように制御する発光制御部と、を備えること、
を特徴とする発光装置。
【請求項２】
請求項１に記載の発光装置であって、
複数の撮影テーマから少なくとも１つの撮影テーマを選択可能な操作部と、
前記複数の撮影テーマそれぞれに対応する前記発光部の色温度に関する情報を記憶する記憶部と、を備え、
前記発光制御部は、前記操作部により選択された撮影テーマに応じて、前記記憶部に記憶された前記発光部の色温度に関する情報に基づいて、前記発光部の色温度を変化させるように制御すること、
を特徴とする発光装置。
【請求項３】
請求項１に記載の発光装置であって、
解析された前記被写体の画像データによって、複数の撮影テーマから少なくとも１つの撮影テーマが自動的に選択される解析選択部と、
前記複数の撮影テーマそれぞれに対応する前記発光部の色温度に関する情報を記憶する記憶部と、を備え、
前記発光制御部は、前記解析選択部により選択された撮影テーマに応じて、前記記憶部に記憶された前記発光部の色温度に関する情報に基づいて、前記発光部の色温度を変化させるように制御すること、
を特徴とする発光装置。
【請求項４】
請求項２又は３に記載の発光装置であって、
前記記憶部に記憶される前記発光部の色温度に関する情報を変更可能な変更部を備えること、
を特徴とする発光装置。
【請求項５】
請求項１〜４のいずれか一項に記載の発光装置であって、
前記撮影画像は、動画画像であること、
を特徴とする発光装置。
【請求項６】
請求項５に記載の発光装置であって、
前記発光制御部は、前記発光部の色温度を時間経過とともに変化させるように制御すること、
を特徴とする発光装置。
【請求項７】
請求項１〜６のいずれか一項に記載の発光装置を備える撮像装置。
【請求項８】
被写体に対して光を照射するとともに、
撮影画像に演出効果を付与するために選択された撮影テーマに応じて、発光部の色温度を変化させること、
を特徴とする調光方法。
【請求項９】
請求項８に記載の調光方法であって、
複数の撮影テーマから少なくとも１つの撮影テーマを選択可能な操作部と、
前記複数の撮影テーマそれぞれに対応する前記発光部の色温度に関する情報を記憶する記憶部と、を備え、
前記操作部により選択された撮影テーマに応じて、前記記憶部に記憶された前記発光部の色温度に関する情報に基づいて、前記発光部の色温度を変化させること、
を特徴とする調光方法。
【請求項１０】
請求項８に記載の調光方法であって、
解析された前記被写体の画像データによって、複数の撮影テーマから少なくとも１つの撮影テーマが自動的に選択される解析選択部と、
前記複数の撮影テーマそれぞれに対応する前記発光部の色温度に関する情報を記憶する記憶部と、を備え、
前記解析選択部により選択された撮影テーマに応じて、前記記憶部に記憶された前記発光部の色温度に関する情報に基づいて、前記発光部の色温度を変化させること、
を特徴とする調光方法。
【請求項１１】
請求項９又は１０に記載の調光方法であって、
前記記憶部に記憶される前記発光部の色温度に関する情報を変更可能な変更部を備えること、
を特徴とする調光方法。
【請求項１２】
請求項８〜１１のいずれか一項に記載の調光方法であって、
前記撮影画像は、動画画像であること、
を特徴とする調光方法。
【請求項１３】
請求項１２に記載の調光方法であって、
前記発光部の色温度を時間経過とともに変化させること、
を特徴とする調光方法。
【発明の詳細な説明】
【技術分野】
【０００１】
発光装置及びこれを備えた撮像装置、並びに調光方法に関する。
【背景技術】
【０００２】
従来、ＬＥＤを用いた発光部を有する小型かつ省電力な発光装置が知られている。このような発光装置において、撮影シーン（例えば、夕焼けなど）の環境照明に合わせて、発光部の色温度を変化させた補助光を被写体に照射する発光装置が知られている（例えば、特許文献１参照）。
【先行技術文献】
【特許文献】
【０００３】
【特許文献１】特開２００８−１７０８７５号公報
【発明の概要】
【発明が解決しようとする課題】
【０００４】
一方、撮影テーマを選択して、その選択された撮影テーマに応じて、撮影画像に演出効果を付与したい場合がある。
しかしながら、特許文献１に記載の発光装置においては、撮影シーンの環境照明に応じた補助光を被写体に対して照明するに過ぎず、撮影画像に演出効果を付与することができない。
【０００５】
本発明は、選択された撮影テーマに応じて、撮影画像に演出効果を付与することができる発光装置及び撮像装置、並びに調光方法を提供することを目的とする。
【課題を解決するための手段】
【０００６】
本発明は、以下のような解決手段により前記課題を解決する。なお、理解を容易にするために、本発明の実施形態に対応する符号を付して説明するが、これに限定されるものではない。
【０００７】
請求項１に記載の発明は、被写体に対して光を照射するとともに、色温度を変化させることが可能な発光部（２３）と、撮影画像に演出効果を付与するために選択された撮影テーマに応じて、前記発光部（２３）の色温度を変化させるように制御する発光制御部（２１）と、を備えること、を特徴とする発光装置（２０）である。
請求項２に記載の発明は、請求項１に記載の発光装置（２０）であって、複数の撮影テーマから少なくとも１つの撮影テーマを選択可能な操作部（２４）と、前記複数の撮影テーマそれぞれに対応する前記発光部（２３）の色温度に関する情報を記憶する記憶部（２５）と、を備え、前記発光制御部（２１）は、前記操作部（２４）により選択された撮影テーマに応じて、前記記憶部（２５）に記憶された前記発光部（２３）の色温度に関する情報に基づいて、前記発光部（２３）の色温度を変化させるように制御すること、を特徴とする発光装置（２０）である。
請求項３に記載の発明は、請求項１に記載の発光装置（２０）であって、解析された前記被写体の画像データによって、複数の撮影テーマから少なくとも１つの撮影テーマが自動的に選択される解析選択部と、前記複数の撮影テーマそれぞれに対応する前記発光部（２３）の色温度に関する情報を記憶する記憶部（２５）と、を備え、前記発光制御部（２１）は、前記解析選択部により選択された撮影テーマに応じて、前記記憶部（２５）に記憶された前記発光部（２３）の色温度に関する情報に基づいて、前記発光部（２３）の色温度を変化させるように制御すること、を特徴とする発光装置（２０）である。
請求項４に記載の発明は、請求項２又は３に記載の発光装置（２０）であって、前記記憶部（２５）に記憶される前記発光部（２３）の色温度に関する情報を変更可能な変更部（２１１）を備えること、を特徴とする発光装置（２０）である。
請求項５に記載の発明は、請求項１〜４のいずれか一項に記載の発光装置（２０）であって、前記撮影画像は、動画画像であること、を特徴とする発光装置（２０）である。
請求項６に記載の発明は、請求項５に記載の発光装置（２０）であって、前記発光制御部（２１）は、前記発光部（２３）の色温度を時間経過とともに変化させるように制御すること、を特徴とする発光装置（２０）である。
請求項７に記載の発明は、請求項１〜６のいずれか一項に記載の発光装置（２０）を備える撮像装置（１）である。
請求項８に記載の発明は、被写体に対して光を照射するとともに、撮影画像に演出効果を付与するために選択された撮影テーマに応じて、発光部（２３）の色温度を変化させること、を特徴とする調光方法である。
請求項９に記載の発明は、請求項８に記載の調光方法であって、複数の撮影テーマから少なくとも１つの撮影テーマを選択可能な操作部（２４）と、前記複数の撮影テーマそれぞれに対応する前記発光部（２３）の色温度に関する情報を記憶する記憶部（２５）と、を備え、前記操作部（２４）により選択された撮影テーマに応じて、前記記憶部（２５）に記憶された前記発光部（２３）の色温度に関する情報に基づいて、前記発光部（２３）の色温度を変化させること、を特徴とする調光方法である。
請求項１０に記載の発明は、請求項８に記載の調光方法であって、解析された前記被写体の画像データによって、複数の撮影テーマから少なくとも１つの撮影テーマが自動的に選択される解析選択部と、前記複数の撮影テーマそれぞれに対応する前記発光部（２３）の色温度に関する情報を記憶する記憶部（２５）と、を備え、前記解析選択部により選択された撮影テーマに応じて、前記記憶部（２５）に記憶された前記発光部（２３）の色温度に関する情報に基づいて、前記発光部（２３）の色温度を変化させること、を特徴とする調光方法である。
請求項１１に記載の発明は、請求項９又は１０に記載の調光方法であって、前記記憶部（２５）に記憶される前記発光部（２３）の色温度に関する情報を変更可能な変更部（２１１）を備えること、を特徴とする調光方法である。
請求項１２に記載の発明は、請求項８〜１１のいずれか一項に記載の調光方法であって、前記撮影画像は、動画画像であること、を特徴とする調光方法である。
請求項１３に記載の発明は、請求項１２に記載の調光方法であって、前記発光部（２３）の色温度を時間経過とともに変化させること、を特徴とする調光方法である。
なお、符号を付して説明した構成は、適宜改良してもよく、また、少なくとも一部を他の構成物に代替してもよい。
【発明の効果】
【０００８】
本発明によれば、選択された撮影テーマに応じて、撮影画像に演出効果を付与することができる発光装置及び撮像装置、並びに調光方法を提供することができる。
【図面の簡単な説明】
【０００９】
【図１】本発明の一実施形態に係るカメラのブロック構成図である。
【図２】発光装置側メモリに記憶された第１記憶テーブルを示す図である。
【図３】発光装置側メモリに記録された第２記憶テーブルを示す図である。
【図４】選択された撮影テーマに応じて撮影を行なう場合におけるカメラの調光制御のフローチャートである。
【発明を実施するための形態】
【００１０】
以下、図面等を参照して、本発明の実施形態について説明する。図１は、本発明の一実施形態に係るカメラ１のブロック構成図である。図２は、発光装置側メモリ２５に記憶された第１記憶テーブルを示す図である。図３は、発光装置側メモリ２５に記録された第２記憶テーブルを示す図である。
【００１１】
本実施形態におけるカメラ１は、撮影画像が静止画画像である場合及び撮影画像が動画画像である場合のいずれにも適用することができる。
本実施形態のカメラ１は、図１に示すように、装置本体１０と、発光装置２０と、を備える。装置本体１０は、インターフェース部３０を介して発光装置２０に電気的に接続されている。
【００１２】
装置本体１０は、撮像光学系１１と、撮像素子１２と、本体側操作部１３と、表示部１４と、カメラ制御部１５と、本体側メモリ１６と、測光部１７と、を有する。
撮像光学系１１は、詳細は図示しないが、合焦レンズ群を含む複数のレンズ群を備えている。合焦レンズ群は、後述するカメラ制御部１５によって光軸方向に移動駆動されて合焦作用を行う。
【００１３】
撮像素子１２は、たとえばＣＣＤやＣＭＯＳ等の光電変換素子であって、撮像光学系１１によってその撮像面に結像された画像を電気信号に変換して出力する。
【００１４】
本体側操作部１３は、図示しないが、レリーズボタンや各種スイッチボタンを含み、使用者がそれらを操作することによって、レリーズ操作や後述する表示部１４に表示された各種機能の選択や解除等を行うことができるようになっている。本体側操作部１３により選択された撮影の設定やレリーズボタンなどの使用者からの入力情報は、後述するカメラ制御部１５に出力される。
【００１５】
表示部１４は、ＬＣＤ等によって構成されており、カメラ１のボディ背面に設けられている。そして、表示部１４は、撮像素子１２が撮影中のリアルタイムの画像（スルー画像）や、撮影済みの画像を表示する。また、表示部１４は、再生条件、撮影条件、カメラの基本設定等の設定が可能なメニュー画面等を表示することができるようになっている。
【００１６】
カメラ制御部１５は、ＣＰＵ等を有して構成されており、当該カメラ１を構成する各要素を統括的に制御する。すなわち、カメラ制御部１５は、合焦（ＡＦ）制御、露出（ＡＥ）制御、撮像素子１２からの画像情報の読み出し及び画像処理、画像情報の本体側メモリ１６への保存、画像情報の記録メディア（図示せず）への保存、表示部１４への撮影画像や各種設定条件の表示等を制御する。
【００１７】
カメラ制御部１５は、インターフェース部３０を介して発光装置２０の後述する発光制御部２１と通信を行い、発光制御部２１を制御する。発光制御部２１については後述する。
【００１８】
カメラ制御部１５における合焦制御は、撮像素子１２による撮影画像からデフォーカス量を算出し、デフォーカス量がゼロとなるように撮像光学系における合焦レンズを移動制御する。また、カメラ制御部１５は、その合焦情報に基づいて、被写体までの距離情報を算出する。
カメラ制御部１５における露出制御は、後述する測光部１７から入力される測光情報と、使用者によって設定された露出モード、絞り値、シャッタ速度、ＩＳＯ感度等とに基づいて露出値を決定する。
【００１９】
測光部１７は、撮像素子１２による撮影画像から露光評価値を演算し、測光情報としてカメラ制御部１５に出力する。
本体側メモリ１６は、画像処理した一連の画像データを記録する。また、本体側メモリ１６には、使用者が本体側操作部１３を介して操作入力した設定情報などが記憶されるほか、カメラ１の動作や制御に必要なプログラム、このプログラムの実行に必要な設定値などが記憶される。
【００２０】
次に、発光装置２０について説明する。発光装置２０は、図１に示すように、発光制御部２１と、駆動回路２２と、発光部２３と、発光装置側操作部２４と、発光装置側メモリ２５と、を有する。
【００２１】
発光装置側操作部２４は、図示しないが、各種スイッチボタンを含み、使用者がそれらを操作することによって、表示部１４に表示された撮影テーマの選択や解除、発光装置側メモリ２５に記憶された発光部２３の色温度に関する情報の変更等を行うことができるようになっている。撮影テーマの選択については、発光装置側操作部２４は、使用者が複数の撮影テーマから少なくとも１つの撮影テーマを選択可能になっている。撮影テーマは、撮影画像に演出効果を付与するために選択される。発光装置側操作部２４により選択された撮影テーマの設定などの使用者からの入力情報は、後述する発光制御部２１に出力される。
【００２２】
発光部２３は、ＬＥＤ等の発光体を有して構成されている。具体的には、発光部２３は、赤、青、緑の三種類のＬＥＤが配列されることで構成されている。発光部２３は、電源（図示せず）から駆動回路２２を介して供給される電力により、被写体に対して光を照射することが可能となっている。また、発光部２３は、駆動回路２２を介して供給される電力に応じて色温度を変化させることが可能となっている。発光部２３の色温度については後述する。
駆動回路２２は、発光部２３を駆動する回路である。
【００２３】
発光制御部２１は、発光部２３の色温度を変化させるように、駆動回路２２を制御する（調光する）。また、発光制御部２１は、撮影画像に演出効果を付与するために発光装置側操作部２４により選択された撮影テーマに応じて、駆動回路２２を制御する。
具体的には、発光制御部２１は、発光部２３における三色のＬＥＤの電流のデューティ比や電流値などを変化させるように駆動回路２２を制御して、発光部２３による照明光の色温度を変化させることが可能となっている。
【００２４】
発光制御部２１は、発光装置側操作部２４により選択された撮影テーマに応じて、後述する発光装置側メモリ２５に記憶された発光部２３の色温度に関する情報に基づいて、発光部２３の色温度を変化させるように制御する。
【００２５】
また、発光制御部２１は、変更部２１１を有している。変更部２１１は、発光装置側操作部２４により入力された色温度の変更情報により、発光装置側メモリ２５に記憶されている色温度に関する情報を変更可能である。具体的には、変更部２１１は、使用者が発光装置側操作部２４により色温度の変更情報が入力されることにより、発光装置側メモリ２５に記憶されている色温度に関する情報を変更する。
【００２６】
発光装置側メモリ２５は、複数の撮影テーマそれぞれに対応する発光部２３の色温度に関する情報を記憶する。具体的には、発光装置側メモリ２５は、図２及び図３に示すように、記憶テーブルを有している。発光装置側メモリ２５の記憶テーブルは、例えば、図２に示す第１記憶テーブルと、図３に示す第２記憶テーブルとを含んでいる。
【００２７】
第１記憶テーブルには、図２に示すように、発光装置側操作部２４により選択された撮影テーマごとに、撮影テーマに応じて発光部２３の色温度を時間経過とともに変化させるように、環境温度の色温度に対する発光部２３の色温度の変化の値が設定値として記憶されている。
第２記憶テーブルには、図３に示すように、発光装置側操作部２４により選択された撮影テーマごとに、撮影テーマに応じて発光部２３の色温度が一定の色温度になるように、環境温度の色温度に対する発光部２３の色温度の差の値が設定値として記憶されている。
【００２８】
ここで、発光部２３の色温度について説明する。
発光部２３の色温度は、例えば、温度が低いほど赤みがかっており、温度が低い状態から高くなるにつれて黄色みを帯びた白になり、さらに温度が高くなると青みがかっている。つまり、色温度は、寒色系の色ほど色温度が高く、暖色系の色ほど色温度が低い。なお、一般的に、環境照明が蛍光灯の場合には、色温度は６５００Ｋ程度であって、白色に近い昼光色である。
使用者は、このような発光部２３の色温度の色味を考慮して、撮影テーマを選択することにより、撮影テーマに応じた色温度を設定することができる。
【００２９】
また、色温度は、使用者にとっては、その色味の変化が知覚的に均等でないように感じられる。そのため、色温度を設定する際には、色温度（Ｋ）の逆数のスケールである「ｍｉｒｅｄ（１０−６Ｋ−１）」を用いる。例えば、環境照明が蛍光灯である場合には、色温度は、６５００Ｋ程度、換算すると１６０ｍｉｒｅｄ程度である。なお、本実施形態においては、色温度（Ｋ）の逆数のスケールである「ｍｉｒｅｄ（１０−６Ｋ−１）」を用いる場合にも、単に色温度という。
【００３０】
本実施形態においては、発光部２３の色温度は、撮影テーマごとに、環境照明の色温度の値を基準としてオフセットを与えた値によりあらかじめ設定される。具体的には、本実施形態においては、撮影テーマに応じた色温度は、発光装置側メモリ２５の第１記憶テーブル及び第２記憶テーブルに記憶されている。
【００３１】
図２に示す第１記憶テーブルには、例えば、撮影シーンの環境照明が蛍光灯（６５００Ｋ，１６０ｍｉｒｅｄ）である場合、選択された撮影テーマに応じて、蛍光灯の色温度から照明光の色温度を時間経過とともに変化させる設定値が記憶されている。
この第１記憶テーブルは、動画撮影時において、発光部２３の色温度の値として主に用いられる。
【００３２】
例えば、使用者は、動画撮影時において、撮影画像に対して、時間経過とともに青みがかっていくような「Ｃｏｏｌ」な色を付与したいと考えている。そのため、使用者は、第１記憶テーブルを用いて、発光装置側操作部２４を操作することにより、撮影テーマとして、第１記憶テーブルの上段に示すような「Ｃｏｏｌ」を選択する。撮影テーマにおける「Ｃｏｏｌ」は、例えば、発光部２３の色温度を、環境照明の色温度である１６０ｍｉｒｅｄから１秒ごとに１０ｍｉｒｅｄずつ下げていく設定である。
【００３３】
また、使用者は、動画撮影時において、撮影画像に対して、一定の時間間隔で色が点滅するような「Ｐｏｐ」な色を付与したいと考えている。そのため、使用者は、第１記憶テーブルを用いて、発光装置側操作部２４を操作することにより、第１記憶テーブルの中段に示すような「Ｐｏｐ」を選択する。撮影テーマにおける「Ｐｏｐ」は、例えば、発光部２３の色温度を、１秒ごとに、環境照明の１６０ｍｉｒｅｄから１８０ｍｉｒｅｄ、１８０ｍｉｒｅｄから１６０ｍｉｒｅｄ、・・・、というように繰り返し変化させる設定である。
【００３４】
また、使用者は、動画撮影時において、撮影画像に対して、時間経過とともに赤みがかっていくような「Ｎｏｓｔａｌｇｉｃ」な色を付与したいと考えている。そのため、使用者は、第１記憶テーブルを用いて、発光装置側操作部２４を操作することにより、第１記憶テーブルの下段に示すような「Ｎｏｓｔａｌｇｉｃ」を選択する。撮影テーマにおける「Ｎｏｓｔａｌｇｉｃ」は、例えば、発光部２３の色温度を、環境照明の１６０ｍｉｒｅｄから１秒ごとに５０ｍｉｒｅｄずつ上げていく設定である。
【００３５】
また、図３に示す第２記憶テーブルには、例えば、環境照明が蛍光灯（６５００Ｋ，１６０ｍｉｒｅｄ）である場合、撮影テーマに応じて、蛍光灯の色温度である１６０ｍｉｒｅｄを基準としてオフセットを与えたものが設定値として記憶されている。
この第２記憶テーブルは、静止画撮影において、発光部２３の色温度の値として主に用いられる。なお、第２記憶テーブルは、動画撮影における発光部２３の色温度の値として用いられてもよい。
【００３６】
例えば、使用者は、静止画撮影時において、撮影画像に対して、青みがかっている「Ｃｏｏｌ」な色を付与したいと考えている。そのため、使用者は、第２記憶テーブルを用いて、発光装置側操作部２４を操作することにより、第２記憶テーブルの上段に示すような「Ｃｏｏｌ」を選択する。撮影テーマにおける「Ｃｏｏｌ」により設定される発光部２３の色温度は、例えば、環境照明の色温度である１６０ｍｉｒｅｄから３０ｍｉｒｅｄ下げた１３０ｍｉｒｅｄである。
【００３７】
また、使用者は、静止画撮影時において、撮影画像に対して、「Ｐｏｐ」な色を付与したいと考えている。そのため、使用者は、第２記憶テーブルを用いて、発光装置側操作部２４を操作することにより、第２記憶テーブルの中段に示すような「Ｐｏｐ」を選択する。撮影テーマにおける「Ｐｏｐ」により設定される発光部２３の色温度は、例えば、環境照明の１６０ｍｉｒｅｄと同じ値である。
【００３８】
また、使用者は、静止画撮影時において、撮影画像に対して、赤みがかっている「Ｎｏｓｔａｌｇｉｃ」な色を付与したいと考えている。そのため、使用者は、第２記憶テーブルを用いて、発光装置側操作部２４を操作することにより、第２記憶テーブルの下段に示すような「Ｎｏｓｔａｌｇｉｃ」を選択する。撮影テーマにおける「Ｎｏｓｔａｌｇｉｃ」により設定される発光部２３の色温度は、例えば、環境照明の１６０ｍｉｒｅｄから１５０ｍｉｒｅｄ上げた３１０ｍｉｒｅｄである。
【００３９】
上記構成のカメラ１は、本体側操作部１３における図示しないレリーズボタンが押圧操作（レリーズ操作）されると、撮像素子１２がその撮像面に結像された被写体像光を電気信号に変換して出力する。そして、カメラ制御部１５は、その電気信号に基づいて画処理を行うことで画像データを生成し、画像データを図示しない記録メディアに記録（すなわち撮影）する。
【００４０】
次に、前述したカメラ１の発光装置２０の制御（発光制御）を、図４に示すフローチャートを参照して説明する。図４は、選択された撮影テーマに応じて撮影を行なう場合におけるカメラ１の調光制御のフローチャートである。
本実施形態では、カメラ１において動画撮影を行なう場合について説明する。
【００４１】
まず、ステップＳ１において、使用者は、撮影テーマを発光装置側操作部２４により選択する。
カメラ制御部１５は、発光制御部２１に入力された撮影テーマの情報により、撮影時における照明光の撮影テーマを選択させるためのメニュー画面（図示省略）を表示部１４に表示する。照明光の撮影テーマとしては、例えば、第１記憶テーブルに記憶される時間とともに色温度を変化させるもの（図２参照）や、第２記憶テーブルに記憶される環境照明を基準として一定の色温度を設定するもの（図３参照）が用意されている。また、第１記憶テーブル（図２参照）における時間とともに色温度を変化させる撮影テーマとして、「Ｃｏｏｌ」、「Ｐｏｐ」、「Ｎｏｓｔａｌｇｉｃ」等が用意されている。
本実施形態においては、使用者は、発光装置側操作部２４を操作することにより、撮影テーマとして、例えば、図２に示す第１記憶テーブルに記憶された撮影テーマから、動画撮影における「Ｃｏｏｌ」を選択する。
【００４２】
ステップＳ２において、使用者がレリーズボタンを半押しすることで撮影が開始される。使用者によってレリーズボタンが半押し操作されると、本体側操作部１３は、カメラ制御部１５に検出信号を出力する。
【００４３】
ステップＳ３において、測光部１７により測光が行なわれる。具体的には、撮像素子１２から出力されるＲＧＢの輝度信号から被写体輝度を求める。
【００４４】
ステップＳ４において、カメラ制御部１５は、測光部１７により測光された被写体輝度に基づいて、補助照明として発光部２３を発光（フラッシュ）させるか否かを判別する。補助照明を発光させる場合には、処理は、ステップＳ５に進む。補助照明を発光させない場合には、ステップＳ１２に進む。
【００４５】
ステップＳ４において補助照明を発光させない場合（ＮＯ）には、ステップＳ１２において、被写体輝度に基づいて適切な露出となるようにシャッタースピード及び絞り値を決定するとともに、ＲＧＢの輝度信号値などに基づいてホワイトバランスの調整値を決定して各信号のゲインを調節する。その後、ステップＳ１３において、レリーズボタンの全押しによる撮影信号が入力されると、後述するステップＳ１０において、撮影が行われる。
【００４６】
一方、ステップＳ４において補助照明を発光させる場合（ＹＥＳ）には、ステップＳ５において、ＲＧＢの信号値から輝度情報を取り除いて、昼光、蛍光灯、曇りなどの想定される環境照明と比較することにより環境照明の色温度を検出する。
【００４７】
その後、ステップＳ６において、レリーズボタンの全押しによる撮影信号が入力されると、カメラ制御部１５は、この検出された環境照明の色温度でプリ発光をするように、発光制御部２１に発光要求信号を送信する。
【００４８】
ステップＳ７において、発光制御部２１は、カメラ制御部１５からの発光要求に応じて、駆動回路２２を制御することにより、発光部２３を環境照明の色温度でプリ発光させる。
【００４９】
ステップＳ８において、カメラ制御部１５は、プリ発光時に撮像素子１２から得られた被写体輝度に基づいて、適切な露出となるように、シャッタースピード及び絞り値を決定する。そして、カメラ制御部１５は、ＲＧＢの輝度信号値などに基づいて、ホワイトバランスの調整値を決定して、各信号のゲインを調節する。
【００５０】
露出及びホワイトバランスの調整が終了すると、ステップＳ９において、カメラ制御部１５は、選択された撮影テーマに応じた補助照明の色温度での本発光の要求を、発光制御部２１に送信する。
【００５１】
ステップＳ１０において、動画撮影が実行される。撮影の実行中には、発光部２３は、選択された撮影テーマに応じた色温度で本発光している状態にある。
本実施形態においては、撮影テーマは、時間経過とともに青みがかっていくような「Ｃｏｏｌ」が選択されている。そのため、動画撮影時において、発光部２３の色温度は、時間経過とともに、青みがかっていくように変化する。レリーズボタンが押されている間、発光部２３の色温度が時間経過とともに変化している状態で、動画撮影は、継続して実行される。
【００５２】
ステップＳ１１において、演出効果が付与された動画画像データは、本体側メモリ１６に記録される。その際、本体側メモリ１６には、画像データとともに、撮影テーマ情報が関連情報として付加されて記録される。
以上により、発光制御（調光方法）に係る一連の処理が終了する。
【００５３】
このような発光（調光）制御を行うことにより、発光装置２０は、撮影画像に演出効果を付与するために選択された撮影テーマに応じて、発光部２３の色温度を変化させることができる。従って、撮影テーマを選択することで、撮影画像において使用者が表現したい意図に応じた演出効果を、撮影画像に付与することができる。
なお、本実施形態においては、使用者が撮影テーマとして動画撮影における「Ｃｏｏｌ」を選択した場合を例に説明したが、使用者が撮影テーマとして動画撮影における「Ｐｏｐ」や「Ｎｏｓｔａｌｇｉｃ」を選択した場合においても、選択された撮影テーマに応じた色温度で、撮影画像に演出効果を付与することができる。
【００５４】
以上、本実施形態によると、以下の効果を有する。
（１）発光部２３の色温度を、選択された撮影テーマに応じて変化させることができる。これにより、撮影テーマを選択することで、撮影画像において使用者が表現したい意図に応じた演出効果を、撮影画像に付与することができる。従って、撮影画像の表現が豊かになり、映像の演出効果を高めることができる。
（２）また、撮影テーマを発光装置側操作部２４により選択することができる。そのため、発光装置側操作部２４により撮影テーマ選択するだけで、撮影画像において使用者が表現したい意図に応じた演出効果を、撮影画像に付与することができる。
（３）また、発光部２３の色温度を時間経過とともに変化させることができる。これにより、動画撮影時の動画画像において、より効果的な演出効果を撮影画像に付与することができる。
（４）また、発光装置側メモリ２５に記憶される発光部２３の色温度に関する情報を変更可能な変更部２１１を備える。そのため、撮影テーマにおける色温度の設定を任意に変更することができる。これにより、より効果的な演出効果を撮影画像に付与することができる。
【００５５】
（変形形態）
以上、説明した実施形態に限定されることなく、以下に示すような種々の変形や変更が可能であり、それらも本発明の範囲内である。
（１）前記実施形態では、動画撮影時における動作について説明したが、これに制限されず、静止画撮影時においても同様に、発光部２３の色温度を環境照明の色温度から変化させることができる。静止画撮影時においては、例えば、発光装置側メモリ２５の第２記憶テーブル（図３参照）に記憶される発光部２３の色温度設定値に基づいて、撮影テーマに応じて、発光部２３の色温度を一定の色温度で発光させることができる。
（２）前記実施形態では、選択される撮影テーマは、発光装置側操作部２４により選択可能な構成としたが、これに制限されず、自動的に選択されるように構成されていてもよい。この場合、発光装置２０は、解析された被写体の画像データによって、複数の撮影テーマから少なくとも１つの撮影テーマが自動的に選択される解析選択部を備え、この解析選択部により選択された撮影テーマに応じて、発光部２３の色温度を変化させることができる。
なお、実施形態及び変形形態は、適宜組み合わせて用いることもできるが、詳細な説明は省略する。また、本発明は以上説明した実施形態によって限定されることはない。
【符号の説明】
【００５６】
１：カメラ、１０：装置本体、２０：発光装置、２１：発光制御部、２３：発光部、２４：発光装置側操作部、２５：発光装置側メモリ、２１１：変更部
【図１】
2013020171.tif 000003
【図２】
2013020171.tif 000004
【図３】
2013020171.tif 000005
【図４】
2013020171.tif 000006